(57)【要約】【課題】光源の状態を利用することにより、被写体が撮影制限領域に有るか否かを検出して、撮影を行う撮影機能を用いる撮像装置を提供すること。【解決手段】被写体２００から反射された光Ｌ０がレンズ光学系１を介してハーフミラー１０に入射される。ハーフミラー１０は光Ｌ０を分岐して光Ｌ１を撮影制限領域識別部１００に光Ｌ２を撮像素子２に入射させる。そして、撮影制限領域識別部１００により光Ｌ１に右旋又は左旋に偏った偏光を検出した場合には、撮影制限環境下にあることをＣＰＵ３に出力する。ＣＰＵ３は、撮影制限環境下にあることが入力されると、撮影制限環境下スイッチ６を制御し、撮像素子２から出力されたが画像データが画像データ格納部４に記録されないように制御する。【選択図】図１
2007116307.tif 000002
【特許請求の範囲】
【請求項１】
被写体からの光の偏光の偏りを検出する偏光検出手段と、
前記偏光検出手段により検出された偏光の偏りが、予め設定した条件に該当した場合、被写体が撮影制限領域に在ると判定する撮影制限領域判定手段と、
前記撮影制限領域判定手段が、前記被写体が前記撮影制限領域にあると判定した場合、撮影機能を停止又は制限する制御を行う撮影機能制御手段と、
を備えることを特徴とする撮影装置。
【請求項２】
前記偏光検出手段は、
前記被写体からの光の右旋偏光成分の光量と、左旋偏光成分の光量とを測定する光量測定手段と、
前記光量測定手段により測定された右旋偏光成分の光量と、左旋偏光成分の光量とを併せた全体の光量のうち、右旋偏光成分の光量の割合と、左旋偏光成分の光量の割合をそれぞれ算出し、当該右旋偏光成分の光量の割合と、左旋偏光成分の光量の割合との差の絶対値を算出することにより被写体からの光の偏光の偏りを検出する差偏光検出手段と、
を有し、
前記撮影制限領域判定手段は、前記差偏光検出手段により算出された絶対値が所定の大きさを超えたときは被写体が撮影制限領域にあると判定することを特徴とする請求項１に記載の撮影装置。
【請求項３】
前記偏光検出手段は、
被写体からの光の右旋偏光成分又は左旋偏光成分のいずれか１つの光量を測定する光量測定手段と、
前記被写体からの光の右旋偏光成分と左旋偏光成分とを併せた全体の光量を測定する全体光量測定手段と、
前記光量測定手段で測定した被写体からの右旋偏光成分又は左旋偏光成分の光量を、前記全体光量測定手段で測定した全体の光量で除することにより、被写体からの光の偏光の偏りを検出する全体光量偏光検出手段と、
を有し、
第１の閾値及び第２の閾値を記憶する記憶手段を備え、
前記撮影機能制限手段は、前記光量測定手段で測定した被写体からの右旋偏光成分又は左旋偏光成分の光量を、前記全体光量測定手段で測定した全体の光量で除した値が第１の閾値以下であるか又は第２の閾値以上の場合には、被写体が撮影制限領域にあると判定することを特徴とする請求項１に記載の撮影装置。
【請求項４】
前記偏光検出手段は、特定の波長の光を含むスペクトルに基づいて、光の偏光の偏りの検出を行う手段であることを特徴とする請求項１から３のいずれか一項に記載の撮影装置。
【請求項５】
少なくとも、前記請求項４に記載された撮影装置が、偏光の偏りの検出に使用する波長の光を、右旋又は左旋のいずれかの偏光の光として出力することを特徴とする照明装置。
【請求項６】
開口部を備えたリフレクタを備え、
前記リフレクタの開口部を覆うように、少なくとも前記請求項４に記載された撮影装置及び前記撮影装置を搭載した機器が光の偏光の偏りの検出に利用するための、特定の波長の光の右旋又は左旋のいずれかの１つの偏光の光を透過する偏光調整手段を更に備えることを特徴とする請求項５に記載の照明装置。
【発明の詳細な説明】
【技術分野】
【０００１】
撮影装置及び照明装置に関する。
【背景技術】
【０００２】
最近のデジタルカメラに代表される撮像装置の小型化に伴い、デジタルカメラは携帯電話や携帯情報端末にも搭載されるようになり、簡易な撮影手段として利用されている。また、デジタルカメラ付き携帯電話や携帯情報端末に、１次元バーコード、あるいは２次元バーコードのバーコードリーダーとしての機能が、盛り込まれるようになり、書籍や雑誌等は購入者に対して、情報の一部をデジタルカメラで取り込むことを前提に、１次元バーコード、あるいは２次元バーコードの形で、紙面に印刷して提供するようになっている。
【０００３】
しかしながら、最近では、「書籍や雑誌等を購入せずに、書籍や雑誌等の必要な情報の所だけを、デジタルカメラで撮影して入手する。」、俗に「電子万引き」と呼称される「書籍や雑誌等に記載された情報の窃盗」や、「コンピュータディスプレイの画面を撮影して、ディスプレイに表示された情報の窃盗」等が発生して社会問題となっている。
【０００４】
従来、人物を撮影対象とした「盗撮」に対しては、以下のような様々な対策が施されている。まず、第１の対策として、撮影者自身に対するデジタルカメラの動作確認用として、デジタルカメラに付与された撮影時に発生する擬似的なシャッター音（動作告知音）を、撮影者以外の者（特に被写体）に分かるように大きくする技術が知られている（例えば、特許文献１参照）。
【０００５】
つづいて、第２の対策として、デジタルカメラが撮影可能な状態にあることを、デジタルカメラに付けられたＬＥＤ等の発光素子を発光、点滅させる技術が知られている（例えば、特許文献２参照）。上述した２つの対策では、撮影者以外の者（特に被写体）に「盗撮」の発生、及びその可能性を知らせることで、「盗撮」を抑制する効果がある。
【０００６】
第３の対策として、デジタルカメラの仰角、俯角等の上下角が、一定の角度より大きくなると、撮影機能を停止する機能をデジタルカメラ本体、あるいはデジタルカメラを搭載した情報機器に組み込む技術が知られている（例えば、特許文献３参照）。
【０００７】
また、第４の対策として、制御信号を利用することにより、撮影を制限する方法が知られている。例えば、撮影機能制限信号発生器から装置撮影機能制限信号を送信することにより、撮影機能が制限される領域（以下、撮影機能が制限される領域を「撮影制限領域」という。）を構築する。
【０００８】
そして、撮影機能を停止又は制限する機能を組み込んだデジタルカメラや、デジタルカメラを搭載した携帯電話等の撮影装置が、撮影制限領域に入ることにより装置撮影機能制御信号を受信すると、当該撮影装置の撮影機能が利用できなくなったり、制限されたりすることとなる。このようにして、例えば、映画館や劇場等での「盗撮」防止策として検討されている（例えば、特許文献４参照）。
【０００９】
ここで、第４の対策が施された撮影装置について図を用いて説明する。図６は、撮影制限機能を組み込んだ撮影装置の一例であるデジタルカメラ２０１の構成を示す図である。デジタルカメラ２０１は、レンズ光学系１と、撮像素子（ＣＣＤ）２と、ＣＰＵ３と、画像データ格納部（画像メモリ）４と、画像表示部５と、撮影制限環境下切り替えスイッチ６と、シャッターボタン７と、疑似動作音・警告音発生器８と、画像データ出力端子９と、アンテナ１７０と、ＲＦ受信部１７１と、撮影制限信号識別部１７２と、を備えて構成されている。
【００１０】
撮像素子（ＣＣＤ）２は、入射された光を電気信号に変換する素子である。被写体２００からレンズ光学系１を介して入射された光は、撮像素子２により電気信号（画像データ）に変換され、画像データ格納部（画像メモリ）４及び画像表示部５に出力される。
【００１１】
画像データ格納部（画像メモリ）４は、撮像素子２から出力された画像データを記憶するメモリである。画像データは所定の画像形式（例えば、「ｊｐｇ」や「ｔｉｆｆ」）において記憶される。ここで、画像データ格納部４は、デジタルカメラ２０１が内蔵するＥＰＲＯＭや、ＤＲＡＭ等の半導体メモリで有っても良いし、コンパクトフラッシュ（登録商標）や、ＳＤメモリカード（登録商標）、ＨＤＤ等の外付けの記憶装置でも良い。
【００１２】
画像表示部５は、撮像素子２から出力された画像データ又は画像データ格納部４に記憶された画像データを表示する機能部である。画像表示部５は、例えばＬＣＤや有機ＥＬパネルなどの種々の表示装置で構成されている。
【００１３】
撮影制限環境下切り替えスイッチ６は、撮像素子２から画像データ格納部４に出力される画像データの出力を制御する為のスイッチである。ここで、ＣＰＵ３の制御信号により、撮像素子２から画像データ格納部４へ画像データを出力するかしないかを制御するためのスイッチである。ＣＰＵ３の信号により、撮影制限環境下切替スイッチがＯＮのときは、撮像素子２から出力された画像データは、画像データ格納部４に記憶される。また、ＣＰＵ３の信号により、撮影制限環境下切替スイッチがＯＦＦのときは、撮像素子２から出力された画像データは、画像データ格納部４に記憶されないこととなる。
【００１４】
シャッターボタン７は、いわゆる普通のカメラのシャッターボタンと同様に、画像データを記録するタイミングを入力するための操作部である。シャッターボタン７が押下されたタイミングにおいて、被写体２００に対応する画像データが画像データ格納部４に記憶される。
【００１５】
擬似動作音・警告音発生器８は、デジタルカメラ２０１が出力する警告音や、擬似的に出力されるシャッター音などが出力される出力部である。また、画像データ出力端子９は、画像データ格納部４に記憶された画像データを、例えばテレビ受像器などを利用して外部に表示するための信号を出力するために出力端子である。
【００１６】
撮影制限信号発生器１７４は、アンテナ１７３を介して撮影制限信号を発生するための装置である。撮影制限信号発生器から出力された撮影制限信号を、デジタルカメラ２０１が受信すると、撮影制限領域であると判定され、撮影が制限されることとなる。ここで、撮影制限信号を実現する方法として、種々の方法が考えられるが、例えば特定の周波数の信号を出力する。そして、デジタルカメラ２０１は、当該周波数の信号を受信すると、撮影制限信号が受信されたと判定する。
【００１７】
アンテナ１７０は、上述した撮影制御信号を受信するためのアンテナであり、撮影制御信号はＲＦ受信部１７１に入力される。ＲＦ受信部１７１は、アンテナ１７０から入力された信号（電波）を電子信号に変換し、撮影制限信号識別部１７２に出力する。そして、撮影制限信号識別は、入力された信号の中に当該特定の周波数の信号が受信されているか否かを識別する。そして、特定の周波数の信号が受信されと識別されると、デジタルカメラ２０１は、撮影制限環境下にあると判断し、撮影を制限するように撮影制限環境下切り替えスイッチ６を制御する。
【００１８】
以下、簡単にデジタルカメラ２０１が撮影制限環境下にある場合の動作について説明する。まず、被写体２００から入射された光Ｌ０は、レンズ光学系１を介して撮像素子２に入射される。撮像素子２は、入射された信号を電気信号（画像データ）に変換し、画像表示部５及び撮影制限環境下切り替えスイッチ６に出力する。
【００１９】
ここで、アンテナ１７０において受信された撮影制限信号はＲＦ受信部１７１を介して撮影制限信号識別部１７２に入力されている。撮影制限信号識別部１７２は、入力された撮影制限信号に基づいて現在撮影制限環境下である旨を識別し、ＣＰＵ３にその旨を通知する。
【００２０】
ＣＰＵ３は、撮影制限信号識別部１７２から、撮影制限環境下にあることが入力されると、撮影制限環境下切り替えスイッチ６を制御し、撮像素子２から出力された画像データが画像データ格納部４に入力されないよう制御する。
【００２１】
ここで、シャッターボタン７が押下されたことをＣＰＵ３が検出したとしても、撮像素子２の画像データは画像データ格納部４に入力されず、画像データ格納部４に記憶されないこととなる。
【００２２】
したがって、図７に示すように、撮影制限信号発生器１７４からアンテナ１７３を介して撮影制限信号が出力されている場合、当該信号を受信したデジタルカメラ２０１、デジタルカメラ付き携帯電話２０２、ビデオカメラ２０３等は被写体２００を撮影することができず、撮影を制限することが可能となる。
【特許文献１】特開２００４−１６３５６３号公報
【特許文献２】特開２００１−１８６５４６号公報
【特許文献３】特開２００４−３４３４３４号公報
【特許文献４】特開２００４−１５３３２４号公報
【発明の開示】
【発明が解決しようとする課題】
【００２３】
しかしながら、上述した盗撮防止装置については種々の問題点があった。例えば、上述した第１及び第２の盗撮防止技術を用いたとしても、盗撮行為がなされたこと、盗撮行為がなされる可能性、盗撮をする者を被写体を含む周囲に告知するに過ぎなかった。したがって、盗撮を抑止する効果はあったが、盗撮行為そのものは阻止することはできなかった。
【００２４】
また、第３の盗撮防止技術の場合、書籍や雑誌等に記載された情報の窃盗行為は、通常大きな俯角で撮影することが多く、盗撮行為自体を阻止することができる。しかし、書籍や雑誌を正規で購入した利用者にとっても、デジタルカメラを使った書籍や雑誌の情報の利用がしづらくなるといった問題点があった。
【００２５】
さらに、第４の盗撮防止術の場合、撮影機能制限信号による撮影制限領域を構築する際、撮影機能制御信号の適用範囲の設定が難しく、漏洩した信号が周囲に悪影響を及ぼす影響があり、容易に設置することができなかった。
【００２６】
そこで、本発明が目的とするところは、上述した課題に鑑み、光源の状態を利用することにより、被写体が撮影制限領域に有るか否かを検出して、撮影を行う撮影機能を用いる撮像装置を提供することである。
【課題を解決するための手段】
【００２７】
上述した課題を解決するために、第１の発明による撮影装置は、被写体からの光の偏光の偏りを検出する偏光検出手段と、前記偏光検出手段により検出された偏光の偏りが、予め設定した条件に該当した場合、被写体が撮影制限領域に在ると判定する撮影制限領域判定手段と、前記撮影制限領域判定手段が、前記被写体が前記撮影制限領域にあると判定した場合、撮影機能を停止又は制限する制御を行う撮影機能制御手段と、を備えることを特徴とする。
【００２８】
また、第２の発明は、第１の発明の撮影装置において、前記偏光検出手段は、前記被写体からの光の右旋偏光成分の光量と、左旋偏光成分の光量とを測定する光量測定手段と、前記光量測定手段により測定された右旋偏光成分の光量と、左旋偏光成分の光量とを併せた全体の光量のうち、右旋偏光成分の光量の割合と、左旋偏光成分の光量の割合をそれぞれ算出し、当該右旋偏光成分の光量の割合と、左旋偏光成分の光量の割合との差の絶対値を算出することにより被写体からの光の偏光の偏りを検出する差偏光検出手段と、を有し、前記撮影制限領域判定手段は、前記差偏光検出手段により算出された絶対値が所定の大きさを超えたときは被写体が撮影制限領域にあると判定することを特徴とする。
【００２９】
また、第３の発明は、第１の発明の撮影装置において、前記偏光検出手段は、被写体からの光の右旋偏光成分又は左旋偏光成分のいずれか１つの光量を測定する光量測定手段と、前記被写体からの光の右旋偏光成分と左旋偏光成分とを併せた全体の光量を測定する全体光量測定手段と、前記光量測定手段で測定した被写体からの右旋偏光成分又は左旋偏光成分の光量を、前記全体光量測定手段で測定した全体の光量で除することにより、被写体からの光の偏光の偏りを検出する全体光量偏光検出手段と、を有し、第１の閾値及び第２の閾値を記憶する記憶手段を備え、前記撮影機能制限手段は、前記光量測定手段で測定した被写体からの右旋偏光成分又は左旋偏光成分の光量を、前記全体光量測定手段で測定した全体の光量で除した値が第１の閾値以下であるか又は第２の閾値以上の場合には、被写体が撮影制限領域にあると判定することを特徴とする。
【００３０】
また、第４の発明は、第１から第３の何れか一つの発明の撮影装置において、前記偏光検出手段は、特定の波長の光を含むスペクトルに基づいて、光の偏光の偏りの検出を行う手段であることを特徴とする。
【００３１】
また、第５の発明の照明装置は、少なくとも、前記請求項４に記載された撮影装置が、偏光の偏りの検出に使用する波長の光を、右旋又は左旋のいずれかの偏光の光として出力することを特徴とする。
【００３２】
また、第６の発明は、第５の発明の照明装置において、開口部を備えたリフレクタを備え、前記リフレクタの開口部を覆うように、少なくとも前記請求項４に記載された撮影装置及び前記撮影装置を搭載した機器が光の偏光の偏りの検出に利用するための、特定の波長の光の右旋又は左旋のいずれかの１つの偏光の光を透過する偏光調整手段を更に備えることを特徴とする。
【発明の効果】
【００３３】
第１の発明によれば、被写体からの偏光の偏りを検出し、当該偏光の偏りが予め設定した条件に該当した場合には、被写体が撮影制限領域にあると判定し、撮影機能を停止又は制限することとなる。
【００３４】
第２の発明によれば、被写体からの光の右旋偏光成分の光量と、左旋偏光成分の光量とを測定し、全体の光量との割合とから光の偏光の偏りを検出する。そして、当該光の偏光の偏りが所定の大きさを超えたときは被写体が撮影制限領域にあると判定されることとなる。したがって、被写体を照らす光源に右旋又は左旋のいずれかの偏光の光のみを発する照明器具を用いることにより、撮影を制限した領域を定義することができ、被写体が撮影されることを防ぐことが可能となる。
【００３５】
第３の発明によれば、被写体からの光の右旋偏光成分又は左旋偏光成分のいずれか１つの光量を測定し、全体の光量との割合とから光の偏光の偏りを検出する。そして、右旋偏光成分又は左旋偏光成分の光量を、全体の光量で除した値が、第１の閾値以下であるか又は第２の閾値以上の場合には、被写体が撮影制限領域にあると判定されることとなる。したがって、被写体を照らす光源に右旋又は左旋のいずれかの偏光の光のみを発する照明器具を用いることにより、撮影を制限した領域を定義することができ、被写体が撮影されることを防ぐことが可能となる。
【００３６】
第４の発明によれば、特定の波長の光を含むスペクトルに基づいて、光の偏光の偏りを検出することが出来るようになる。
【００３７】
第５の発明によれば、偏光の偏りの検出に使用する波長の光を、右旋又は左旋のいずれかの偏光の光として出力する照明装置を用いることにより、撮影制限領域を定義することが出来る。したがって、撮影制限領域を定義する際に、撮影機能制限信号を発生する装置を別に設ける必要が無くなる。
【００３８】
第６の発明によれば、リフレクタ開口部を覆うように、特定の波長の光の右旋又は左旋の何れかの１つの偏光の光を透過する照明装置を用いることにより、撮影制限領域を定義することができるようになる。
【発明を実施するための最良の形態】
【００３９】
次に、図を参照して、本発明を撮影装置の一種であるデジタルカメラに適用した場合の実施の形態について図面を参照して詳細に説明するが、本発明が適用可能なものはこれに限定されるものではない。
【００４０】
＜構成＞
図１は、デジタルカメラ３００の構成を示すブロック図である。同図に示すように、デジタルカメラ３００は、レンズ光学系１と、撮像素子（ＣＣＤ）２と、ＣＰＵ３と、画像データ格納部（画像メモリ）４と、画像表示部５と、撮影制御環境下切替スイッチ６と、シャッターボタン７と、疑似動作音・警告音発生器８と、画像データ出力端子９と、ハーフミラー１０と、撮影制限領域識別部１００とを備えて構成されている。なお、上述した図６の従来のデジタルカメラ２０１と同一の構成については同一の符号を付し、詳細な説明を省略する。
【００４１】
ハーフミラー１０は、レンズ光学系１を透過した光Ｌ０の一部を、撮影制限領域識別部１００に分岐するために備えられているものである。レンズ光学系１から入射した被写体からの光Ｌ０は、ハーフミラー１０によって、その一部が光Ｌ１として撮影制限領域識別部１００に分岐され、それ以外の光がハーフミラー１０を透過して光Ｌ２として撮像素子２に到達する。
【００４２】
ここで、光Ｌ０は、光源（不図示）から照射された光が、被写体２００に反射されて入射される光であり、撮影制限領域であることが識別できるように少なくとも１つ以上の特定の波長の光を含むスペクトルなっている。本実施形態では、撮影制限領域であることを示す場合には、右旋又は左旋のどちらか一方の偏光の光のみが含まれた状態となっている。
【００４３】
撮影制限領域識別部１００は、光Ｌ１の偏光の偏りにより、利用者がデジタルカメラ３００を用いて撮影しようとしている領域が撮影制限領域であるか否かを判断する領域である。撮影制限領域識別部１００により、現在被写体２００は撮影制限領域にあるか否かを識別し、識別結果をＣＰＵ３に出力する。なお、撮影制限領域識別部１００の動作の詳細については後述する。
【００４４】
ＣＰＵ３は、デジタルカメラ３００の各構成部の動作を制御するための制御部である。また、撮影制限領域識別部１００から出力される撮影制限領域識別信号に基づいて撮影制限環境下切り替えスイッチ６を制御する。
【００４５】
具体的には、ＣＰＵ３は、通常の状態において、通常撮影素子２と画像データ格納部４との接続を維持（ＯＮ）する命令を出力している。したがって、通常の状態においては、撮影素子２から出力された画像データを画像データ格納部４に記録できる状態としている。ここで、ＣＰＵ３は、撮影制御領域識別部１００から、撮影制御領域を示す識別結果が入力されると、撮影制御環境下切り替えスイッチ６を制御し、撮影素子２と画像データ格納部４との接続を切り離す（ＯＦＦ）命令を出力する。したがって、撮影素子２から出力された画像データは、画像データ格納部４に出力されない状態となり、画像データ格納部４に画像データを記録する事ができなくなる。
【００４６】
＜撮影制限領域識別部＞
続いて、撮影制限領域識別部１００について図２を用いて詳細に説明する。撮影制限領域識別部１００は、カラーフィルタ１０１と、ハーフミラー１０２と、右旋偏光透過偏光板１０３と、右旋偏光透過偏光板１０４と、右旋偏光成分測定用光度計１０５ａと、左旋偏光成分測定用光度計１０５ｂと、全成分算出手段１０７と、右旋偏光成分／全成分比算出手段１０８と、左旋偏光成分／全成分比Ｒｂ算出手段１０９と、（Ｒａ−Ｒｂ）の絶対値算出回路１１０と、撮影制限領域判定用閾値格納部１１１と、撮影制限判定部１１２とを備えて構成されている。
【００４７】
まず、ハーフミラー１０から入射された光Ｌ１は、カラーフィルタ１０１を経て、ハーフミラー１０２で、反射５０％、透過５０％の割合で右旋偏光成分測定用の光Ｌ１１及び左旋偏光成分用の光Ｌ１２の２つの光に分岐される。ここで、分岐された光Ｌ１１は、右旋偏光透過偏光板１０３を経て右旋偏光成分測定用光度計１０５ａに入力される。また、分岐された光Ｌ１２は、右旋偏光透過偏光板１０４を経て左旋偏光成分測定用光度計１０５ｂに入力される。なお、光Ｌ１２は、ハーフミラー１０２により反射され、偏光の方向が反転されている為、光Ｌ１の左旋偏光成分を透過させるためには、右旋偏光透過偏光板１０４を使用する必要がある。
【００４８】
次に、右旋偏光成分測定用光度計１０５ａは、光Ｌ１１に含まれる右旋偏光成分（光Ｌ１１に含まれる光Ｌ１の右旋偏光成分）の光量Ｌａ（以下、この右旋偏光成分の光量を「右旋偏光量」という。）を測定する。そして、この右旋偏光量Ｌａを、全成分算出手段１０７と、右旋偏光成分／全成分比算出手段１０８とに出力する。
【００４９】
また、同様に、左旋偏光成分測定用光度計１０５ｂは、光Ｌ１２に含まれる右旋偏光成分（光Ｌ１２に含まれる光Ｌ１の左旋偏光成分）の光量Ｌｂ（以下、この左旋偏光成分の光量を「左旋偏光量」とう。）を測定する。そして、この左旋偏光量Ｌｂを、全成分算出手段１０７と、左旋偏光成分／全成分比算出手段１０９に出力する。
【００５０】
全成分算出手段１０７は、右旋偏光成分測定用光度計１０５ａから入力された右旋偏光量Ｌａと、左旋偏光成分測定用光度計１０５ｂから入力された左旋偏光量Ｌｂとを加算し、全光量Ｌｃとして、右旋偏光成分／全成分比算出手段１０８と、左旋偏光成分／全成分比算出手段１０９とに出力する。
【００５１】
右旋偏光成分／全成分比算出手段１０８は、右旋偏光成分測定用光度計１０５ａから入力された右旋偏光量Ｌａと、全成分算出手段１０７から入力された全光量Ｌｃに基づいて右旋偏光成分／全成分の比となる比Ｒａを算出する手段である。具体的には、右旋偏光量Ｌａを全光量Ｌｃで除した値を比Ｒａとして算出する。そして、算出された比Ｒａは、絶対値算出回路１１０に出力される。
【００５２】
また、左旋偏光成分／全成分比算出手段１０９は、左旋偏光成分測定用光度計１０５ｂから入力された左旋偏光量Ｌｂと、全成分算出手段１０７から入力された全光量Ｌｃに基づいて左旋偏光成分／全成分比となる比Ｒｂを算出する手段である。具体的には、左旋偏光量Ｌｂを全光量Ｌｃで除した値を比Ｒｂとして算出する。そして、算出された比Ｒｂは、絶対値算出回路１１０に出力される。
【００５３】
ここで、絶対値算出回路１１０は、右旋偏光成分／全成分比算出手段１０８から入力されたＲａと、左旋偏光成分／全成分比算出手段１０９から入力された比Ｒｂとの差の絶対値Ｒｄを算出する。なお、この差の絶対値Ｒｄを「光Ｌ１の偏光の偏り」と表すこととする。そして、絶対値Ｒｄは撮影制限判定部１１２に出力される。
【００５４】
撮影制限判定部１１２は、絶対値算出回路１１０から入力された絶対値Ｒｄと、撮影制限領域判定用閾値格納部１１１に格納されている閾値Ｔ０とを比較し、被写体が撮影制限領域にあるか否かを判定する。具体的には、絶対値Ｒｄが閾値Ｔ０の値より大きい場合には、被写体は撮影制限領域にあると判定し、絶対値Ｒｄが閾値Ｔ０の値以下の場合には被写体は撮影制限領域内にないと判定する。そして、この判定結果をＣＰＵ３に出力する。なお、ここで閾値Ｔ０は、撮影制限領域判定用閾値格納部１１１に予め記憶されているものとして説明するが、例えばユーザが設定により変更できることとしても良いし、撮影環境により変動する値としても良いことは勿論である。
【００５５】
また、撮影制限領域識別部１００について第２の構成を図３を用いて説明する。図３に示す撮影制限領域識別部１００は、カラーフィルタ１０１と、ハーフミラー１０２と、右旋偏光透過偏光板１０３と、光度計として、右旋偏光成分測定用光度計１０５ａと、全成分測定用光度計１０５ｃと、右旋偏光成分／全成分比算出手段１０８と、第１閾値格納部１１３と、第１閾値格納部１１３と、第１比較回路１１４と、第２閾値格納部１１５と、第２比較回路１１６と、撮影制限判定部１１７とを備えて構成されている。
【００５６】
まず、撮影制限領域識別部１００に入射された光Ｌ１は、偏光の偏りの測定対象となる波長の光を透過するカラーフィルタ１０１を経て、ハーフミラー１０２において光Ｌ１１と、光Ｌ１２の光に分配される。
【００５７】
そして、光Ｌ１１は、右旋偏光透過偏光板１０３を経て、右旋偏光成分測定用光度計１０５ａに入射される。右旋偏光成分測定用光度計１０５ａは、入射された光に基づいて光Ｌ１１に含まれている右旋偏光量Ｌａを測定する。
【００５８】
同様に、光Ｌ１２は、全成分測定用光度計１０５ｃに入射される。そして、全成分測定用光度計１０５ｃは、入射された光に基づいて光Ｌ１２に含まれる全光量Ｌｃを測定する。
【００５９】
続いて、右旋偏光成分／全成分比算出手段と１０８において、比Ｒａが算出される。ここで比Ｒａはいわゆる光Ｌ１の右旋偏光への偏りの大きさを表すものである。この比Ｒａは、第１比較回路１１４及び第２比較回路１１６に出力される。
【００６０】
第１比較回路１１４は、右旋偏光成分／全成分比算出手段１０８から入力された比Ｒａと、第１閾値格納部１１３に格納された閾値Ｔ１との大きさを比較し、比較結果に応じて値を出力する回路である。また、第２比較回路１１６は、右旋偏光成分／全成分比算出手段１０８から入力された比Ｒａと、第２閾値格納部１１５に格納された閾値Ｔ２との大きさ比較し、比較結果に応じて値を出力する回路である。
【００６１】
ここで、第１比較回路１１４及び第２比較回路１１６の出力する値について、表１を用いて説明する。
【表１】
2007116307.tif 000003
【００６２】
表１に示すように、第１比較回路１１４は、比Ｒａの値が、第１閾値格納部１１３に格納されている閾値Ｔ１以下の場合には「０」を、比Ｒａの値が、閾値Ｔ１より大きい場合は「１」を出力する比較回路である。また、第２比較回路１１６は、比Ｒａの値が、第２閾値格納部１１５に格納されている閾値Ｔ２以下の場合には「０」を、比Ｒａの値が、閾値Ｔ２より大きい場合には「１」を出力する比較回路である。
【００６３】
この第１比較回路１１４及び第２比較回路１１６により出力された値に基づいて撮影制限判定部１１７は、被写体が撮影制限領域にあるか否かを判定する。具体的には、上述した表１に記載したように、第１比較回路１１４及び第２比較回路１１６の出力が「０」の場合、又は第１比較回路１１４及び第２比較回路１１６の出力が「１」の場合に、被写体が撮影制限領域にあると判定し、第１比較回路１１４の出力が「１」であり、第２比較回路１１６の出力が「０」の場合には、被写体は撮影制限領域にないと判定する。
【００６４】
＜照明装置＞
図４は、撮影制限領域において用いられる照明装置である撮影制限領域定義用照明装置１５０の一例を示す図である。撮影制限領域定義用照明装置１５０は、光源として白熱電球１５１と、椀状のリフレクタ１５２と、偏光板１５３とを備えて構成されている。具体的には、椀状のリフレクタ１５２の底部に白熱電球１５１が配置されており、リフレクタ１５２の開口側端部に沿って、内部を密閉するように偏光板１５３が配設されている。
【００６５】
ここで、白熱電球１５１から放射された光の内、少なくとも１つの光が被写体からの光の偏光の偏りを検出できるよう、照明装置から出力されることになる。例えば、偏光板１５３に、右旋偏光成分の光に偏った光が透過する偏光板を利用することにより、被写体からの偏光の偏りが大きくなり、当該照明装置が照射している領域は撮影制限領域として定義され、デジタルカメラ３００において撮影することが出来なくなる。
【００６６】
＜設置例＞
図５は、本実施形態における撮影制限領域を実際に定義する場合における照明装置の配置を示した図である。ここでは、被写体２００が設置されている領域を撮影制限領域として定義するために、照明として撮影制限領域定義用照明装置１５０を天井に配設し、照射することにより、撮影制限領域１６１が定義されている。また、通常の照明装置１５５を用いて照射されている領域は、光の偏光に偏りの無い照明からの光が優位にあり、撮影非制限領域１６２となっている。したがって、撮影非制限領域１６２においては、デジタルカメラ３００で撮影可能となる領域である。
【００６７】
＜効果＞
このように、本願発明を適用することにより、被写体が光の偏光の偏りで定義された撮影制限領域にあるか否かを検出することで、撮影機器の機能を停止、あるいは制限することができるようになる。また、撮影制限領域を定義する際に、右旋又は左旋のいずれかの偏光の光のみを発する照明器具を配置するだけでよく、容易に構築することができるようになる。したがって、従来のように映画館や劇場等の密閉型の場所でしか使えなかった撮影制限信号発信方式と異なり、町の書店や、オフィスといった非密閉型の場所でも撮影制限領域を容易に定義することができることとなり、より幅広い環境で盗撮を防止できる環境を構築することが可能となる。
【００６８】
なお、上述した実施形態においては、撮影制限領域の構築を行う際に光源として白熱電灯等の人工光源を用いた場合を説明したが、これに限られるわけではなく、自然光や街灯の光を利用することとしてもよい。この場合、窓に特定の偏光成分のみを透過される偏光フィルム等を取り付けることにより、白熱電灯等の人工光源の場合と同様のことが実現可能となる。
【００６９】
また、情実した実施形態においては、撮影制限手段として、撮影制限領域の被写体は撮影・記録できないこととして説明したが、他の方法を利用することとしても良いことは勿論である。例えば、シャッターボタン７を押下してもシャッターを切れないようにしたり、撮像素子２自身の機能を停止又は制限（例えば、解像度を下げる）させることとしてもよい。また、レンズ光学系１のピント（焦点）が合わないこととしても良いし、画像表示部５に画像表示しないこととしても良いし、記録された画像に「撮影禁止です」内容のメッセージが併せて記録されること等種々の方法を用いても良い。
【００７０】
また、上述した実施形態においては、光源を用いることにより、撮影制限領域を定義して被写体の撮影などを防ぐこととして説明した。しかしながら、撮影制限領域の定義の仕方は、必ずしも上述した偏光の偏った照明を用いる方法に限定するものではない。たとえば、コンピュータディスプレイ等に表示され情報の盗撮を防ぐ場合には、ディスプレイに右旋又は左旋のいずれかの偏光の光のみを透過させるフィルタを装着して、ディスプレイからの出力光が、右旋又は左旋のいずれかの偏光の光に偏るようにして、ディスプレイの画面を撮影制限領域と定義してもよい。この場合、ディスプレイの画面からの出力光は、右旋又は左旋のいずれかの偏光の光に偏るため、ディスプレイに表示されたデータの盗撮を抑制することが可能となる。同様に、右旋又は左旋のいずれかの偏光の光のみを透過させるフィルタを、ショウウインドウやショウケースに装着して、ショウウインドウやショウケースの内側を撮影制限領域と定義することで、外部からショウウインドウやショウケース内の物の撮影制限が可能となる。
【図面の簡単な説明】
【００７１】
【図１】本実施形態におけるデジタルカメラの構成を示すブロック図。
【図２】本実施形態における撮影制限領域識別部の構成を示すブロック図。
【図３】本実施形態における撮影制限領域識別部の構成を示すブロック図。
【図４】本実施形態における撮影制限領域定義用照明装置の一例を示す図である。
【図５】本実施形態において、撮影制限領域を定義する場合の照明の配置の一例を示す図。
【図６】従来のデジタルカメラの構成を示すブロック図。
【図７】従来のデジタルカメラの動作概要を示す図。
【符号の説明】
【００７２】
１  レンズ光学系
２  撮像素子
３  ＣＰＵ
４  画像データ格納部
５  画像表示部
６  撮影制限環境下切り替えスイッチ
７  シャッターボタン
８  疑似動作音・警告音発生器
９  画像データ出力端子
１０  ハーフミラー
１００  撮影制限領域識別部
１０２  ハーフミラー
１０３、１０４  右旋偏光透過偏光板
１０５ａ  右旋偏光成分測定用光度計
１０５ｂ  左旋偏光成分測定用光度計
１０７    全成分算出手段
１０８    右旋偏光成分／全成分比算出手段
１０９    左旋偏光成分／全成分比算出手段
１１０    絶対値算出回路
１１１    撮影制限領域判定用閾値格納部
１１２    撮影制限判定部
１１３    第１閾値格納部
１１４    第１比較回路
１１５    第２閾値格納部
１１６    第２比較回路
１１７    撮影制限判定部
１５０  撮影制限領域定義用照明装置
１５１  白熱電球
１５２  リフレクタ
１５３  偏光板
【図１】
2007116307.tif 000004
【図２】
2007116307.tif 000005
【図３】
2007116307.tif 000006
【図４】
2007116307.tif 000007
【図５】
2007116307.tif 000008
【図６】
2007116307.tif 000009
【図７】
2007116307.tif 000010